(57)【要約】【課題】ダートコース外へ砂が飛散することを防止する防砂設備を、簡単な施工で実現することができる収納袋を提供すること。【解決手段】正面側体２に施された網目は、背面側体３に施された網目よりも細かい。この正面側体２に施された網目により、従来において防砂設備の一部として用いられていた防砂壁Ｗと同程度の砂の飛散防止を実現することができる。これにより、従来において防砂設備の一部として用いられていた防砂壁Ｗを不要とすることができる。従って、収納袋１によれば、砂利Ｓを収納した状態で開口部１１を閉じ、ダートコースに敷き詰められた砂Ｓに面して正面側体２を配置するという簡単な施工で、ダートコース外への砂Ｓの飛散を防止する防砂設備を実現することができる。【選択図】図１
2011011796.tif 000002
【特許請求の範囲】
【請求項１】
内部に収納する固形物の出入り口となる開口部を有し、前記固形物を内部に収納した状態で前記開口部が閉じられて、競馬場や競走馬をトレーニングするトレーニングセンタに造成されたダートコースの周縁に配置される収納袋であって、
前記ダートコースの周縁に配置された場合に、そのダートコースに敷き詰められた砂に面する一枚状且つ網目が施された化学繊維からなる第１の織布と、
その第１の織布に対応して織り上げられた一枚状且つ網目が施された化学繊維からなる第２の織布と、
前記第１の織布および第２の織布を重ねた状態で、それらの端同士を前記開口部となる部分を除いて縫合することで、前記第１の織布と第２の織布との間に前記固形物を収納する空間を形成する糸状の縫合部材とを備え、
前記第１の織布に施された網目は、前記第２の織布に施された網目よりも細かいことを特徴とする収納袋。
【請求項２】
前記縫合部材は、前記第１の織布および第２の織布に使用された材質と同一の材質で構成されていることを特徴とする請求項１記載の収納袋
【請求項３】
前記縫合部材による前記端同士の縫合は、少なくとも二回行われるものであり、
前記縫合の各々は、互いが離間していることを特徴とする請求項１または２に記載の収納袋。
【請求項４】
前記第１の織布に施された網目および第２の織布に施された網目は、矩形状であり、
前記第１の織布に施された網目は、前記第２の織布に施された１の網目内に所定の整数個存在することを特徴とする請求項１から３のいずれかに記載の収納袋。
【請求項５】
前記第１の織布に施された網目は、１ｍｍ×１ｍｍから４ｍｍ×９ｍｍまでの間の大きさであり、
前記第２の織布に施された網目は、４ｍｍ×４ｍｍから９ｍｍ×９ｍｍまでの間の大きさであることを特徴とする請求項１から４のいずれかに記載の収納袋。
【発明の詳細な説明】
【技術分野】
【０００１】
本発明は収納袋に関し、特に、ダートコース外へ砂が飛散することを防止する防砂設備を、簡単な施工で実現することができる収納袋に関するものである。
【背景技術】
【０００２】
競馬場や競走馬をトレーニングするトレーニングセンタに造成されたダートコースに敷き詰められる砂は、宅地の庭等に敷き詰められる砂と比較して、一般的に高価である。そこで、競馬場やトレーニングセンタでは、ダートコースに敷き詰められた砂がダートコース外へ飛散することを防止するために、ダートコースの周縁に防砂設備を設置している。
【０００３】
ここで、図４を参照して、従来の防砂設備について説明する。図４は、競馬場やトレーニングセンタに造成されたダートコースの周縁に配置された従来の防砂設備を模式的に示した図である。図４に示すように、従来の防砂設備は、ダートコースに敷き詰められた砂Ｓの飛散を防止する均一の網目を有する防砂壁Ｗと、防砂壁Ｗから所定間隔離れた位置に配置され、均一の網目を有すると共に砂利ＢＬを収納する収納袋１００とから主に構成されている。なお、ダートコースの周縁には、更に、競走馬がダートコース外へ離脱することを防止する柵Ｆが立設されると共に、収納袋１００内部へ浸入した雨水等を流す水路Ｈが形成されている。
【０００４】
ここで、収納袋１００は、防砂壁Ｗよりも高く積み上げられており、防砂壁Ｗを飛び越えた砂Ｓの飛散を防止するために配置されている。これは、防砂壁Ｗは、競走馬が衝突した場合に破壊されることを防止する観点から、比較的柔らかい材質で形成されているので、曲がり易く、あまり高く立設することができない。このため、ダートコース外へ砂Ｓが飛散することを確実に防止するために、防砂壁Ｗの立設に加えて、収納袋１００を配置しているのである。
【０００５】
このように、競馬場やトレーニングセンタでは、防砂壁Ｗと収納袋１００とから主に構成される防砂設備をダートコース周縁に設置することで、ダートコースに敷き詰められた砂Ｓがダートコース外へ飛散することを防止している。
【発明の概要】
【発明が解決しようとする課題】
【０００６】
従来の防砂設備では、ダートコース外へ砂Ｓが飛散することを確実に防止するためには、前述の通り、防砂壁Ｗと収納袋１００との両方が必須である。よって、従来の防砂設備では、施工が煩雑になるという問題点があった。
【０００７】
本発明は、上述した問題点を解決するためになされたものであり、ダートコース外へ砂が飛散することを防止する防砂設備を、簡単な施工で実現することができる収納袋を提供することを目的としている。
【課題を解決するための手段】
【０００８】
この目的を達成するために請求項１記載の収納袋は、内部に収納する固形物の出入り口となる開口部を有し、前記固形物を内部に収納した状態で前記開口部が閉じられて、競馬場や競走馬をトレーニングするトレーニングセンタに造成されたダートコースの周縁に配置されるものであり、前記ダートコースの周縁に配置された場合に、そのダートコースに敷き詰められた砂に面する一枚状且つ網目が施された化学繊維からなる第１の織布と、その第１の織布に対応して織り上げられた一枚状且つ網目が施された化学繊維からなる第２の織布と、前記第１の織布および第２の織布を重ねた状態で、それらの端同士を前記開口部となる部分を除いて縫合することで、前記第１の織布と第２の織布との間に前記固形物を収納する空間を形成する糸状の縫合部材とを備え、前記第１の織布に施された網目は、前記第２の織布に施された網目よりも細かいものである。
【０００９】
請求項２記載の収納袋は、請求項１記載の収納袋において、前記縫合部材は、前記第１の織布および第２の織布に使用された材質と同一の材質で構成されている。
【００１０】
請求項３記載の収納袋は、請求項１または２に記載の収納袋において、前記縫合部材による前記端同士の縫合は、少なくとも二回行われるものであり、前記縫合の各々は、互いが離間している。
【００１１】
請求項４記載の収納袋は、請求項１から３のいずれかに記載の収納袋において、前記第１の織布に施された網目および第２の織布に施された網目は、矩形状であり、前記第１の織布に施された網目は、前記第２の織布に施された１の網目内に所定の整数個存在する。
【００１２】
請求項５記載の収納袋は、請求項１から４のいずれかに記載の収納袋において、前記第１の織布に施された網目は、１ｍｍ×１ｍｍから４ｍｍ×９ｍｍまでの間の大きさであり、前記第２の織布に施された網目は、４ｍｍ×４ｍｍから９ｍｍ×９ｍｍまでの間の大きさである。なお、例えば１ｍｍ×１ｍｍは、「縦×横」を示しており、縦とは、収納袋の開口部における開口面と直交する方向を示しており、横とは、収納袋の開口部における開口面に平行な方向を示している。
【発明の効果】
【００１３】
請求項１記載の収納袋によれば、ダートコースの周縁に配置された場合にそのダートコースに敷き詰められた砂に面する第１の織布には、第２の織布に施された網目よりも細かい網目が施されている。この第１の織布に施された網目により、従来において防砂設備の一部として用いられていた防砂壁と同程度の砂の飛散防止を実現することができる。これにより、従来において防砂設備の一部として用いられていた防砂壁を不要とすることができる。従って、請求項１記載の収納袋によれば、固形物を収納した状態で開口部を閉じ、ダートコースに敷き詰められた砂に面して第１の織布を配置するという簡単な施工で、ダートコース外への砂の飛散を防止する防砂設備を実現することができるという効果がある。
【００１４】
なお、ダートコース外へ砂が飛散することを防止する防砂設備を、簡単な施工で実現するという課題を解決するためには、第１の織布の網目を収納袋全体に施すことも考えられるが、この場合には、収納袋内部に浸入した雨水等の排水が困難となる（内部に雨水等が溜まり、不衛生となる）。これを解消すべく、第１の織布に対応して織り上げられた第２の織布には、第１の織布に施された網目よりも大きい網目が施されている。この第２の織布に施された網目により、収納袋内部に浸入した雨水等の円滑な排水を可能としている。よって、請求項１の収納袋によれば、上述した効果に加えて更に、内部に浸入した雨水等を滞りなく排水することができるという効果がある。
【００１５】
請求項２記載の収納袋によれば、請求項１記載の収納袋の奏する効果に加え、縫合部材は、第１の織布および第２の織布に使用された材質と同一の材質で構成されている。よって、縫合部材と第１の織布とが摩擦する際に発生する摩擦抵抗、または、縫合部材と第２の織布とが摩擦する際に発生する摩擦抵抗を、第１の織布と第２の織布とが摩擦する際に発生する摩擦抵抗と同程度にすることができる。従って、縫合部材により縫合された部分が、縫合されていない部分と比較して、摩擦により著しく劣化することを防止することができるという効果がある。
【００１６】
請求項３記載の収納袋によれば、請求項１または２に記載の収納袋の奏する効果に加え、縫合部材による端同士の縫合は、少なくとも二回行われ、縫合の各々は、互いが離間している。よって、縫合部材による端同士の縫合が一回の場合、或いは、縫合部材による端同士の縫合が同じ位置に少なくとも二回行われる場合と比較して、縫合部材による端同士の縫合の強度を高くすることができる。よって、収納袋の耐久性を高めることができるという効果がある。
【００１７】
請求項４記載の収納袋によれば、請求項１から３のいずれかに記載の収納袋の奏する効果に加え、第１の織布に施された網目は、第２の織布に施された１の網目内に、所定の整数個存在する。この事実を利用することで、第１の織布、または第２の織布に施された網目の使用等による破損を、一目で確認することができるという効果がある。即ち、第１の織布に施された網目が第２の織布に施された１の網目内に、所定の整数個存在していない場合には、第１の織布、または第２の織布に施された網目が、使用等により破損していることが分かる。従って、第１の織布、または第２の織布に施された網目の使用等による破損を一目で確認することができるのである。
【００１８】
請求項５記載の収納袋によれば、請求項１から４のいずれかに記載の収納袋の奏する効果に加え、第１の織布に施された網目は、１ｍｍ×１ｍｍから４ｍｍ×９ｍｍまでの間の大きさである。この大きさにすることで、ダートコース外への砂の飛散を防止することができるという効果に加え、更には、飛散した砂による網目の詰まり発生を抑制することができるという効果がある。また、第２の織布に施された網目は、４ｍｍ×４ｍｍから９ｍｍ×９ｍｍまでの間の大きさである。この大きさにすることで、収納袋内部に浸入した雨水等を滞りなく排水することができるという効果がある。
【図面の簡単な説明】
【００１９】
【図１】本発明の収納袋が、防砂設備として、競馬場やトレーニングセンタのダートコースの周縁に配置された状態を示した模式図である。
【図２】（ａ）は、収納袋の斜視図であり、（ｂ）は、ＩＩｂ線で囲んだ領域における収納袋の部分拡大図である。
【図３】（ａ）は、収納袋の開口部を開いた状態で収納袋の内部を視た内部図であり、図３（ｂ）は、ＩＩＩｂ線で囲んだ領域における収納袋内部の部分拡大図である。
【図４】競馬場やトレーニングセンタに造成されたダートコースの周縁に配置された従来の防砂設備を模式的に示した図である。
【発明を実施するための形態】
【００２０】
以下、本発明の好ましい実施例について、添付図面を参照して説明する。図１は、本発明の収納袋１が、防砂設備として、競馬場や競走馬をトレーニングするトレーニングセンタのダートコースの周縁に配置された状態を示した模式図である。収納袋１は、内部に収納する砂利ＢＬの出入り口となる開口部（図２，３参照）を有し、砂利ＢＬを内部に収納した状態で開口部が閉じられて、競馬場やトレーニングセンタに造成されたダートコースの周縁に配置される。
【００２１】
収納袋１は、ポリエチレン製の化学繊維を編み上げることで製作される。収納袋１は、所定サイズの網目が形成される部分と、その所定サイズの網目よりも細かい網目である細網目が形成される部分との２つの部分から主に構成されている。
【００２２】
収納袋１内部には、所定サイズの網目よりも大きい砂利ＢＬが収納される。砂利ＢＬを収納した収納袋１は、ダートコースに敷き詰められた砂Ｓがなくなる位置、具体的には、柵Ｆが立設された位置であるダートコースの周縁に配置される。
【００２３】
このとき、収納袋１は、細網目が形成された部分をダートコースへ向けて配置される。この収納袋１の配置により、収納袋１は、敷き詰められた砂Ｓのダートコース外への飛散を防止するのであるが、詳細は、図２および図３で後述する。
【００２４】
次に、図２および図３を参照して、収納袋１の詳細について説明する。図２（ａ）は、収納袋１の斜視図であり、図２（ｂ）は、ＩＩｂ線で囲んだ領域における収納袋１の部分拡大図である。なお、図２（ｂ）に示された上方向および下方向を一組とする矢印は、上方向の矢印と下方向の矢印とで挟まれた縦線部分が、縫合部材５によって縫合されていることを示している。
【００２５】
また、図３（ａ）は、収納袋１の開口部１１を開いた状態で収納袋１の内部を視た内部図であり、図３（ｂ）は、ＩＩＩｂ線で囲んだ領域における収納袋１内部の部分拡大図である。
【００２６】
図２および図３に示すように、収納袋１は、正面側体２と、その正面側体２と対向する背面側体３と、紐４と、縫合部材５とを有している。正面側体２、背面側体３、紐４および縫合部材５は、何れも、ポリエチレン製の化学繊維を編み上げることで製作されている。
【００２７】
図２および図３に示すように、正面側体２および背面側体３は、収納袋１の側面を形成する部材であり、正面側体２および背面側体３には、それぞれ、矩形状の網目が形成されている。正面側体２は、収納袋１がダートコースの周縁に配置された場合に、そのダートコースに敷き詰められた砂Ｓに面する一枚状且つ網目が施された織布である。また、背面側体３は、正面側体２に対応して織り上げられた一枚状且つ網目が施された織布である。なお、正面側体２が、図１で説明した細網目を形成する部分に該当し、背面側体３が、図１で説明した所定サイズの網目を形成する部分に該当する。
【００２８】
図２および図３に示すように、紐４は、開口部１１を絞った状態に維持する部材である。縫合部材５は、正面側体２および背面側体３を重ねた状態で、それらの端同士を開口部１１となる部分を除いて縫合することで、正面側体２と背面側体３との間に砂利ＢＬを収納する空間を形成する糸状の部材である。
【００２９】
なお、本実施形態では、収納袋１は、正面側体２および背面側体３を編み上げつつ、正面側体２および背面側体３の端同士を縫合するダブルラッセル方式で作成されている。よって、本実施形態では、縫合部材５は、正面側体２や背面側体３とは別に存在する部材ではなく、正面側体２および背面側体３の一部から構成され、正面側体２および背面側体３を縫合した部分となる。
【００３０】
よって、縫合に使用する縫合部材５は、正面側体２および背面側体３に使用された材質と同一の材質であるポリエチレン製の化学繊維で構成されることとなる。これにより、縫合部材５と正面側体２とが摩擦する際に発生する摩擦抵抗、または、縫合部材５と背面側体３とが摩擦する際に発生する摩擦抵抗を、正面側体２と背面側体３とが摩擦する際に発生する摩擦抵抗と同程度にすることができる。従って、縫合部材５により縫合された部分が、縫合されていない部分と比較して、摩擦により著しく劣化することを防止することができる。
【００３１】
また、図２（ｂ）の左右二組の矢印で示すように、正面側体２および背面側体３の端同士の縫合部材５による縫合は、二回行われており、各縫合は、互いが離間している。よって、正面側体２および背面側体３の端同士の縫合部材５による縫合が一回の場合、或いは、正面側体２および背面側体３の端同士の縫合部材５による縫合が同じ位置に二回行われる場合と比較して、縫合部材５による端同士の縫合の強度を高くすることができる。よって、収納袋１の耐久性を高めることができる。
【００３２】
図２および図３に示すように、開口縁部１２は、開口部１１の縁部分を補強する部分である。開口縁部１２は、正面側体２および背面側体３が縫合部材５で縫合された後、その正面側体２および背面側体３の未縫合部分（開口部１１となる部分）を外側に折り返し、その折り返し部分をポリエチレン製の化学繊維でミシン縫合することで形成されている。紐挿通部１３は、折り返し部分が縫合されることで形成された筒状の部分であり、紐４が挿通される部分である。
【００３３】
ここで、図３（ｂ）に示すように、正面側体２に施された網目および背面側体３に施された網目は、何れも矩形状である。そして、正面側体２に施された網目の大きさは、本実施形態では、縦ｃが２．０ｍｍであり、横ｄが２．０ｍｍである（２．０ｍｍ×２．０ｍｍ（＝縦ｃ×横ｄ））。また、背面側体３に施された網目の大きさは、本実施形態では、縦ａが６．０ｍｍであり、横ｂが６．０ｍｍである（６．０ｍｍ×６．０ｍｍ（＝縦ａ×横ｂ））。即ち、正面側体２に施された網目は、背面側体３に施された網目よりも細かい。この正面側体２に施された網目により、従来において防砂設備の一部として用いられていた防砂壁Ｗと同程度の砂の飛散防止を実現することができる。これにより、従来において防砂設備の一部として用いられていた防砂壁Ｗを不要とすることができる。従って、収納袋１によれば、砂利Ｓを収納した状態で開口部１１を閉じ、ダートコースに敷き詰められた砂Ｓに面して正面側体２を配置するという簡単な施工で、ダートコース外への砂Ｓの飛散を防止する防砂設備を実現することができる。なお、縦ａ，ｃとは、収納袋１の開口部１１における開口面（或いは、収納袋１の底部分）と直交する方向を示しており、横ｂ，ｄとは、収納袋１の開口部１１における開口面（或いは、収納袋１の底部分）に平行な方向を示している。
【００３４】
なお、ダートコース外へ砂Ｓが飛散することを防止する防砂設備を、簡単な施工で実現するという課題を解決するためには、正面側体２の網目を収納袋１全体に施すことも考えられるが、この場合には、収納袋１内部に浸入した雨水等の排水が困難となる（内部に雨水等が溜まり、不衛生となる）。これを解消すべく、正面側体２に対応して織り上げられた背面側体３には、正面側体２に施された網目よりも大きい網目が施されている。この背面側体３に施された網目により、収納袋１内部に浸入した雨水等の円滑な排水を可能としている。よって、収納袋１によれば、内部に浸入した雨水等を滞りなく排水することもできる。
【００３５】
また、図３（ｂ）に示すように、正面側体２に施された網目は、背面側体３に施された１の網目内に、９個存在する。この事実を利用することで、収納袋１では、正面側体２、または背面側体３に施された網目の使用等による破損を、一目で確認することができる。即ち、正面側体２に施された網目が背面側体３に施された１の網目内に、９個存在していない場合には、正面側体２、または背面側体３に施された網目が、使用等により破損していることが分かる。従って、収納袋１によれば、正面側体２、または背面側体３に施された網目の使用等による破損を一目で確認することができるのである。
【００３６】
以上、本実施形態に基づき本発明を説明したが、本発明は上記形態に何ら限定されるものではなく、本発明の趣旨を逸脱しない範囲内で種々の変形改良が可能であることは容易に推察できるものである。
【００３７】
上述した実施形態では、正面側体２に施された網目を、背面側体３に施された１の網目内に、９個存在させたが、これに限られるものではない。即ち、正面側体２に施された網目を、背面側体３に施された１の網目内に、９．５個存在させても良いし、或いは８．５個存在させても良い。即ち、正面側体２に施された網目を、背面側体３に施された２の網目内に、１９個存在させても良いし、或いは１７個存在させても良い。このような網目の大きさであっても、ダートコース外への砂Ｓの飛散を防止することができると共に、収納袋内部に浸入した雨水等を滞りなく排水することができる。
【００３８】
また、上述した実施形態では、正面側体２および背面側体３に施された網目を矩形状としたが、これに限られるものではない。即ち、正面側体２または背面側体３に施す網目を、三角状にしても良い。また、正面側体２または背面側体３に施す網目を、三角状と矩形状とが例えば交互に形成される形状としても良い。このような網目の形状であっても、ダートコース外への砂Ｓの飛散を防止することができると共に、収納袋内部に浸入した雨水等を滞りなく排水することができる。
【００３９】
また、上述した実施形態では、正面側体２に施された網目の大きさは、２．０ｍｍ×２．０ｍｍ（＝縦ｃ×横ｄ）であり、背面側体３に施された網目の大きさは、６．０ｍｍ×６．０ｍｍ（＝縦ａ×横ｂ）であったが、これに限られるものではない。即ち、正面側体２に施された網目の大きさを、１．０ｍｍ×１．０ｍｍから４．０ｍｍ×９．０ｍｍまでの間の大きさ（＝縦ｃ×横ｄ）としても良い。この大きさにすることで、ダートコース外への砂Ｓの飛散を防止することができることに加え、更には、飛散した砂Ｓによる網目の詰まり発生を抑制することができる。また、背面側体３に施された網目の大きさを、４．０ｍｍ×４．０ｍｍから９．０ｍｍ×９．０ｍｍまでの間の大きさ（＝縦ａ×横ｂ）としても良い。この大きさにすることで、収納袋内部に浸入した雨水等を滞りなく排水することができる。
【００４０】
また、上述した実施形態では、収納袋１の内部に砂利ＢＬを収納したが、これに限られるものではない。即ち、収納袋１の内部に収納する対象を、立体状のプラスチックやゴム状弾性体としても良い。即ち、収納袋１の内部に収納する対象は、雨風に耐性のある固形物であれば良い。
【００４１】
また、上述した実施形態では、ダブルラッセル方式で収納袋１を作成したが、収納袋１の作成方式は、これに限られるものではない。即ち、正面側体２および背面側体３を予め作成し、その予め作成した正面側体２および背面側体３の端同士を、正面側体２や背面側体３とは別に存在する縫合部材５を用いてミシン縫合し、収納袋１を作成しても良い。
【００４２】
また、上述した実施形態では、開口縁部１２は、折り返し部分をポリエチレン製の化学繊維でミシン縫合することで形成したが、これに限られるものではない。即ち、折り返し部分をミシン縫合する素材を、ナイロン、ポリエステル、ビニロン或いはポリプロピレンに代表される化学合成繊維としても良い。なお、前述した化学合成繊維を使用して、正面側体２、背面側体３、紐４および縫合部材５を製作しても良い。
【００４３】
また、上述した実施形態では、正面側体２および背面側体３の端同士の縫合部材５による縫合を二回行ったが、これに限られるものではない。即ち、正面側体２および背面側体３の端同士の縫合の強度を確保できるのであれば、正面側体２および背面側体３の端同士の縫合部材５による縫合を一回としても良い。また、正面側体２および背面側体３の端同士の縫合の強度をより高めたい場合には、正面側体２および背面側体３の端同士の縫合部材５による縫合を三回以上としても良い。
【符号の説明】
【００４４】
１              収納袋
２              正面側体（第１の織布）
３              背面側体（第２の織布）
５              縫合部材
１１            開口部
ＢＬ            固形物
Ｓ              砂
【図１】
2011011796.tif 000003
【図２】
2011011796.tif 000004
【図３】
2011011796.tif 000005
【図４】
2011011796.tif 000006